【手続補正書】
【提出日】平成16年3月4日(2004.3.4)
【手続補正１】
【補正対象書類名】明細書
【補正対象項目名】発明の名称
【補正方法】変更
【補正の内容】
【発明の名称】電池絶縁ラベル作成装置
【手続補正２】
【補正対象書類名】明細書
【補正対象項目名】特許請求の範囲
【補正方法】変更
【補正の内容】
【特許請求の範囲】
【請求項１】
電池の両極の少なくとも一方に貼着して電気的に外部と絶縁するための電池絶縁ラベルを作成する電池絶縁ラベル作成装置であって、
貼着対象となる電池の種類を指定する電池種類指定手段と、
電気絶縁性を有して前記電池の少なくとも一方の極に貼着可能なテープを装着するテープ装着手段と、
切り離す部分が前記電池の種類に応じた所定サイズ以上の電池絶縁ラベルとなるように前記テープを切断するテープ切断手段と、
を備えたことを特徴とする電池絶縁ラベル作成装置。
【請求項２】
前記所定サイズを電池の種類に対応して記憶する所定サイズ記憶手段をさらに備えたことを特徴とする、請求項１に記載の電池絶縁ラベル作成装置。
【請求項３】
前記所定サイズには、縦および横の一方のサイズとなるラベル幅と他方のサイズとなるラベル長が含まれ、
前記テープ切断手段は、前記テープのテープ幅が前記ラベル幅以上のときに、前記電池の種類に応じて前記テープの長手方向を前記ラベル長以上となるように切断するラベル長切断手段を有することを特徴とする、請求項１または２に記載の電池絶縁ラベル作成装置。
【請求項４】
装着された前記テープのテープ幅を検出するテープ幅検出手段と、
前記所定サイズに対して、検出された前記テープ幅では不足する場合、その旨を報知するテープ幅不足報知手段と、
をさらに備えたことを特徴とする、請求項１ないし３のいずれかに記載の電池絶縁ラベル作成装置。
【請求項５】
前記テープは、そのテープ幅に対応する種類のテープカートリッジに収容されて装着され、
前記テープ幅の検出は、装着された前記テープカートリッジの種類の検出に基づいて行われることを特徴とする、請求項４に記載の電池絶縁ラベル作成装置。
【請求項６】
前記電池の管理情報を記憶する管理情報記憶手段と、
前記テープの前記電池絶縁ラベルとなる部分に、前記管理情報を印刷する管理情報印刷手段と、
をさらに備えたことを特徴とする、請求項１ないし５のいずれかに記載の電池絶縁ラベル作成装置。
【請求項７】
前記管理情報には、前記電池が少なくとも１度は使用されたことを示す使用済み情報が含まれることを特徴とする、請求項６に記載の電池絶縁ラベル作成装置。
【請求項８】
前記使用済み情報には、前記電池が使用された電子機器の種類に関する情報が含まれることを特徴とする、請求項７に記載の電池絶縁ラベル作成装置。
【請求項９】
前記貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれることを特徴とする、請求項１ないし８のいずれかに記載の電池絶縁ラベル作成装置。
【手続補正３】
【補正対象書類名】明細書
【補正対象項目名】０００１
【補正方法】変更
【補正の内容】
【０００１】
【発明の属する技術分野】
本発明は、電池絶縁ラベル作成装置に関する。


【手続補正４】
【補正対象書類名】明細書
【補正対象項目名】０００５
【補正方法】変更
【補正の内容】
【０００５】
そこで、本発明は、貼着対象の電池に貼着して安全に管理可能な電池絶縁ラベルを容易に作成できる電池絶縁ラベル作成装置を提供することを目的とする。


【手続補正５】
【補正対象書類名】明細書
【補正対象項目名】０００６
【補正方法】変更
【補正の内容】
【０００６】
【課題を解決するための手段】
本発明の電池絶縁ラベル作成装置は、電池の両極の少なくとも一方に貼着して電気的に外部と絶縁するための電池絶縁ラベルを作成する電池絶縁ラベル作成装置であって、貼着対象となる電池の種類を指定する電池種類指定手段と、電気絶縁性を有して前記電池の少なくとも一方の極に貼着可能なテープを装着するテープ装着手段と、切り離す部分が前記電池の種類に応じた所定サイズ以上の電池絶縁ラベルとなるように前記テープを切断するテープ切断手段と、を備えたことを特徴とする。


【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
この電池絶縁ラベル作成装置では、電池の両極の少なくとも一方に貼着して電気的に外部と絶縁するための電池絶縁ラベルを作成する。このため、貼着対象となる電池の種類を指定し、その電池（の少なくとも一方の極）に電気絶縁性を有して貼着可能なテープを装着し、切り離す部分がその電池の種類に応じた所定サイズ以上の電池絶縁ラベルとなるようにテープを切断する。これにより、テープの切断（切り離された）された部分は、貼着対象の電池の種類に応じた所定サイズ以上の電池絶縁ラベルとなる。また、装着されたテープは、電気絶縁性を有して電池（の少なくとも一方の極）に貼着可能なテープなので、この電池絶縁ラベルも、電気絶縁性を有して電池（の少なくとも一方の極）に貼着可能なもの（ラベル）となる。したがって、貼着対象の電池の種類の指定およびテープの装着をするだけ（の簡易な操作）で、その電池（の少なくとも一方の極）に貼着して安全に管理可能な電池絶縁ラベルを、容易に作成できる。なお、電池の少なくとも一方の極を電気的に外部と絶縁すれば（その極に電池絶縁ラベルを貼れば）、安全性は確保できるが、両極ともに絶縁しても良いし、片方の貼着部分が剥がれても安全を維持できるという意味で安全性を向上できる。


【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
また、この場合、前記所定サイズを電池の種類に対応して記憶する所定サイズ記憶手段をさらに備えたことが好ましい。


【手続補正１０】
【補正対象書類名】明細書
【補正対象項目名】００１１
【補正方法】変更
【補正の内容】
【００１１】
原理的に、電池の種類により、外部との絶縁のための電池絶縁ラベルとして必要最小限のサイズは異なることになるが、この電池絶縁ラベル作成装置では、電池の種類に応じた所定サイズをその電池の種類に対応して記憶するので、それを参照することにより、電池の種類の指定に基づいてそれに応じた所定サイズを容易に得られる。このため、必要最小限のサイズ等を所定サイズとして規定して記憶しておくことにより、電池の種類の指定に基づいてそれに応じた所定サイズ（必要最小限サイズ）以上の電池絶縁ラベルを容易に作成できる。


【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
また、これらの場合、前記所定サイズには、縦および横の一方のサイズとなるラベル幅と他方のサイズとなるラベル長が含まれ、前記テープ切断手段は、前記テープのテープ幅が前記ラベル幅以上のときに、前記電池の種類に応じて前記テープの長手方向を前記ラベル長以上となるように切断するラベル長切断手段を有することが好ましい。


【手続補正１３】
【補正対象書類名】明細書
【補正対象項目名】００１４
【補正方法】変更
【補正の内容】
【００１４】
この電池絶縁ラベル作成装置では、所定サイズには、縦および横の一方のサイズとなるラベル幅と他方のサイズとなるラベル長が含まれ、テープのテープ幅がラベル幅以上のときに、電池の種類に応じてテープの長手方向をラベル長以上となるように切断する。すなわち、ラベル幅以上のテープ幅のテープを装着することにより、電池の種類に応じてテープの長手方向をラベル長以上となるように切断するだけで、所定サイズ以上の電池絶縁ラベルを容易に作成できる。


【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
また、これらの場合、装着された前記テープのテープ幅を検出するテープ幅検出手段と、前記所定サイズに対して、検出された前記テープ幅では不足する場合、その旨を報知するテープ幅不足報知手段と、をさらに備えたことが好ましい。


【手続補正１６】
【補正対象書類名】明細書
【補正対象項目名】００１７
【補正方法】変更
【補正の内容】
【００１７】
この電池絶縁ラベル作成装置では、装着されたテープのテープ幅を検出し、所定サイズに対して、検出されたテープ幅では不足する場合、その旨を報知するので、新たに幅広のテープ幅のテープに交換するなどの対応が容易にできる。


【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
また、この場合、前記テープは、そのテープ幅に対応する種類のテープカートリッジに収容されて装着され、前記テープ幅の検出は、装着された前記テープカートリッジの種類の検出に基づいて行われることが好ましい。


【手続補正１９】
【補正対象書類名】明細書
【補正対象項目名】００２０
【補正方法】変更
【補正の内容】
【００２０】
この電池絶縁ラベル作成装置では、テープは、そのテープ幅に対応する種類のテープカートリッジに収容されて装着され、テープ幅の検出は、装着されたテープカートリッジの種類の検出に基づいて行われる。すなわち、テープ幅がテープカートリッジの種類と対応しているので、テープカートリッジの種類を検出することにより、テープ幅を検出できる。検出対象としては、テープ自体のテープ幅を直接検出するより、テープカートリッジの種類の方が検出しやすいので、検出機構を簡易にでき、また、最終的に電池絶縁ラベルとなるテープ自体には非接触の状態で、テープ幅を検出できる。


【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
また、これらの場合、前記電池の管理情報を記憶する管理情報記憶手段と、前記テープの前記電池絶縁ラベルとなる部分に、前記管理情報を印刷する管理情報印刷手段と、をさらに備えたことが好ましい。


【手続補正２２】
【補正対象書類名】明細書
【補正対象項目名】００２３
【補正方法】変更
【補正の内容】
【００２３】
この電池絶縁ラベル作成装置では、電池の管理情報を記憶し、テープの電池絶縁ラベルとなる部分に、管理情報を印刷するので、管理情報が印刷された電池絶縁ラベルを作成でき、これにより、さらに管理しやすくなる。


【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】変更
【補正の内容】
【００２５】
また、この場合、前記管理情報には、前記電池が少なくとも１度は使用されたことを示す使用済み情報が含まれることが好ましい。


【手続補正２５】
【補正対象書類名】明細書
【補正対象項目名】００２６
【補正方法】変更
【補正の内容】
【００２６】
この電池絶縁ラベル作成装置では、管理情報には、電池が少なくとも１度は使用されたことを示す使用済み情報が含まれるので、電池絶縁ラベルには使用済み情報が印刷され、これを電池に貼ることにより、その電池が使用済みであることを把握しやすくなる。


【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】変更
【補正の内容】
【００２８】
また、この場合、前記使用済み情報には、前記電池が使用された電子機器の種類に関する情報が含まれることが好ましい。


【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】変更
【補正の内容】
【００４０】
また、これらの場合、前記貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれることが好ましい。


【手続補正３９】
【補正対象書類名】明細書
【補正対象項目名】００４１
【補正方法】変更
【補正の内容】
【００４１】
この電池絶縁ラベル作成装置では、貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれる。すなわち、家庭や職場等で一般的に使用される電池の複数種が含まれ、それらのうちから貼着対象の電池の種類を指定できるので、この電池絶縁ラベル作成装置は、一般的かつ汎用的に使用できる。


【手続補正４０】
【補正対象書類名】明細書
【補正対象項目名】００４２
【補正方法】変更
【補正の内容】
【００４２】
【発明の実施の形態】
以下、本発明の一実施形態に係る電池絶縁ラベル作成装置を適用したテープ印刷装置について、添付図面を参照しながら詳細に説明する。


【手続補正４１】
【補正対象書類名】明細書
【補正対象項目名】００９０
【補正方法】変更
【補正の内容】
【００９０】
【発明の効果】
上述のように、本発明の電池絶縁ラベル作成装置によれば、貼着対象の電池に貼着して安全に管理可能な電池絶縁ラベルを容易に作成できる、などの効果がある。